【事件の表示】
　特願２０１６−　４４２５７「携帯端末装置及びその表示方法」拒絶査定不服審判事件〔平成２８年　８月１８日出願公開、特開２０１６−１４９７７６、請求項の数（６）〕について、次のとおり審決する。
【結　論】
　原査定を取り消す。
　本願の発明は、特許すべきものとする。
【理　由】
第１　手続の経緯
　本願は、平成２３年９月１５日に出願した特願２０１１−２０２１０９号の一部を、平成２８年３月８日に新たな特許出願としたものであって、平成２９年１月４日付けで拒絶理由が通知され、同年２月２２日に手続補正がされ、同年５月１７日付けで拒絶査定（原査定）がされ、これに対し、同年８月７日に拒絶査定不服審判の請求がされたものである。
第２　原査定の概要
　原査定（平成２９年５月１７日付け拒絶査定）の概要は次のとおりである。
　本願請求項１−６に係る発明は、以下の引用文献１−４に基づいて、その発明の属する技術の分野における通常の知識を有する者（以下、「当業者」という。）が容易に発明できたものであるから、特許法第２９条第２項の規定により特許を受けることができない。
引用文献等一覧
１．特表２００８−５３２１８５号公報
２．特開２００７−１４１０２９号公報
３．特開２００９−０７７２２１号公報
４．特開２０１１−１１８４６６号公報
第３　本願発明
　本願請求項１−６に係る発明（以下、それぞれ「本願発明１」−「本願発明６」という。）は、平成２９年２月２２日付けの手続補正で補正された特許請求の範囲の請求項１−６に記載された事項により特定される発明であり、本願発明１は以下のとおりの発明である。
　「【請求項１】筐体の背面に設けられ、ユーザが保持した際の接触位置を検出するタッチパッドセンサと、
　ユーザ毎に、複数の所定の保持状態で保持したときの前記タッチパッドセンサの出力を、所定の保持パターンとして取得し、ユーザ毎に、複数の前記所定の保持パターンと、各保持パターンに対応する表示切替制御信号とを対応付けて、予め登録する保持パターン登録手段と、
　前記タッチパッドセンサが検出したタッチパッドセンサ検出データが、変化したか否かを判定し、前記タッチパッドセンサ検出データが変化した場合、自携帯端末装置を使用しているユーザに対応し、前記保持パターン登録手段が登録した前記複数の所定の保持パターンの内で、最も類似している保持パターンを判定して出力する保持パターン判定手段とを備え、
　前記保持パターン判定手段が出力した保持パターンに対応付けられた表示切替制御信号を用いて、表示部の表示画面に表示する情報の向きを制御し、
　前記保持パターン判定手段は、前記タッチパッドセンサが前記タッチパッドセンサ検出データを検出し、前記タッチパッド検出データが変化していない場合、前記表示部の前記表示画面に表示する情報の向きを維持することを特徴とする携帯端末装置。」
　なお、本願発明２−６の概要は以下のとおりである。
本願発明２−５は、本願発明１を減縮した発明である。
本願発明６は、おおむね本願発明１の携帯端末装置の表示方法の発明である。
第４　引用文献、引用発明等
１．引用文献１について
　原査定の拒絶の理由に引用された特表２００８−５３２１８５号公報（以下、「引用文献１」という。下線は当審が付与。）には、図面とともに次の事項が記載されている。
ア　「【００４３】
　図１０は、本発明の一実施形態による
ハンドヘルド電子装置
ハウジング
【００４４】
　
ハンドヘルド電子装置１００は、ハウジング１０２の内部であって、ハウジング１０２の開口部を通して見ることができるディスプレイ１０４も含む。
・・・（略）・・・
【００４５】
  一つの実施形態において、
ディスプレイ１０４は、ハウジング１０２の前部表面を実質的に占めるよう構成される。
【００４６】
　ユーザ入力を発生するために、
ハンドヘルド電子装置１００は、ディスプレイ１０４の前に配置された透明な入力パネルであるタッチスクリーン１０６を含み得る。
・・・（略）・・・
【００４７】
　一実施形態によれば、タッチスクリーンは、同時に複数の接触点（または接触に近い点）を検出し、複数のタッチをハンドヘルド電子装置のコントローラにレポートする能力を有するマルチタッチセンシングデバイスである。すなわち、タッチスクリーンは、複数のタッチ入力を同時に検出することができる。このタイプの検出デバイスは、マルチポイントタッチセンシングデバイス（例えばマルチポイントタッチスクリーン）と呼ばれることもある。
【００４８】・・・（略）・・・
【００４９】
　他の実施形態によれば、
ハウジング１０２は、タッチ入力を追跡する大きな表面、または専用の機能を実行するタッチボタンのような小さい専用領域のいずれかを提供するタッチセンシティブ表面１０８を含み得る。タッチセンシティブ表面１０８は、ハウジング１０２の任意の表面、ハウジング１０２の任意の側、ハウジング１０２の任意の側の任意の部分、またはハウジング１０４の表面上の専用の位置の上に配置され得る。例として、タッチ領域は、ハウジング１０２の側部または背部表面上に配置されてもよいし
タッチセンシング領域は、ハンドヘルド電子装置１００を保持するときに手の指がふつうに位置する場所に配置され得る。
入力を開始する
入力デバイスは手のさまざまな指の領域に配置される
【００５０】
　
タッチセンシティブ表面
【００５１】
　一実施形態によれば、
タッチセンシティブ表面は、同時に複数の接触点（または接触に近い点）を検出し、複数のタッチをハンドヘルド電子装置のコントローラにレポートする能力を有するマルチタッチセンシングデバイスである。すなわち、タッチセンシティブ表面は、同時に複数のタッチ入力を検出できる。
【００５２】
　タッチスクリーンと同様に、タッチセンシティブ表面（タッチパッド、タッチハウジング、またはタッチスクリーンのいずれであろうと）は、いくつかの独立した、タッチスクリーン全体に配置される空間的に別個の検出点、ノード、または領域に分割されるマルチポイント容量性タッチスクリーンであり得る。典型的には視界から隠された（透明な）センシングポイントは、タッチスクリーン上に分散され、それぞれのセンシングポイントが、タッチスクリーンの表面（つまりタッチスクリーン平面）上の異なる位置を表す。このセンシングポイントは、グリッドまたはピクセルアレイ内に配置されることができ、ここでそれぞれのピクセル化された検出点は、信号を発生することができる。最も簡単な場合において、信号は、物体がセンシングポイント上に位置するたびに作られる。物体が複数のセンシングポイント上に配置されるとき、または物体が複数のセンシングポイント間で、またはそれらの上で移動されるとき、複数の信号が発生され得る。タッチスクリーンと同じように、センシングポイントは、一般に、タッチスクリーン平面を、デカルト座標系、極座標系、またはなんらかの他の座標系のような座標系にマッピングする。・・・（略）・・・
【００５３】
　一つの具体的な実施形態において、
ハンドヘルド電子装置１００でユーザ入力を発生する唯一の方法は、タッチスクリーン１０６、および／またはハウジング１０２のタッチセンシティブ表面１０８を通してである。
【００５４】
　しかしこれは限定ではなく、装置は、制限された個数の物理的ボタンおよびスイッチを含み得ることに注意されたい。前部表面上に制限された個数を維持することで、装置の利用可能な空間がディスプレイのために確保されえることが一般には望ましい。
【００５５】
　ハンドヘルド電子装置１００は、ハウジングのタッチスクリーン１０６および／またはタッチセンシティブ表面１０８（トラックパッド）に印加されたジェスチャを認識し、このジェスチャに基づいてハンドヘルド電子装置１００の種々の局面を制御するよう設計され得る。ジェスチャは、１つ以上の特定の計算操作にマッピングされる、入力デバイスとの間の定形化されたインタラクションとして規定され得る。ジェスチャは、さまざまな、手による、およびより具体的には指の動きを通してなされ得る。代替としてまたは追加として、このジェスチャは、スタイラスでなされてもよい。これらの場合の全てにおいて、入力デバイス（タッチスクリーンおよびタッチセンシティブ表面）は、ジェスチャを受け取り、ハンドヘルド電子装置１００のコントローラは、このジェスチャに関連付けられた操作を行う命令を実行する。ジェスチャは、単一の点または複数の点群からなるジェスチャでありえる。ハンドヘルド電子装置１００は、ジェスチャ操作プログラムを含むことができ、これはオペレーティングシステムまたは別個のアプリケーションの一部であってもよい。ジェスチャの操作プログラムは、ジェスチャの発生を認識し、１つ以上のソフトウェアエージェントに、ジェスチャおよび／またはそのジェスチャに応答してどのようなアクション（群）を行うかを知らせる一連の命令を一般に含む。・・・（略）・・・
【００５６】
　代替としてまたは追加として、
ハンドヘルド電子装置は、手の画像を認識し、その手の画像に基づいてハンドヘルド電子装置の種々の局面を制御するよう設計されてもよい。それぞれの手の画像は、特定の時刻の瞬間においてタッチスクリーンとともにタッチセンシティブ表面に接触している指または手の他の部分のプロファイルを表し、すなわち手の画像は、どのように装置が持たれているかを記述する。この手の画像（または信号）は、ある種の機能を開始するために、またはどのユーザがそのハンドヘルド電子装置を使用しているかについての決定を行うために用いられ得る。
ユーザのアイデンティティ（例えばBobまたはCarol）を決定するために、
手の信号を用いる
ハンドヘルド電子装置は、それに関連付けられたアクションを持つ、手のプロファイルのリストを含み得る。ハンドプロファイルは一般に、その装置がどのように持たれているかを記述し、アクションは、ハンドプロファイルに基づいて実行すべきアクションのタイプを記述する。
【００５７】
　加えて、
手の画像は、装置が例えば０、９０、１８０および２７０度において持たれているときのような装置の向きを決定するために用いられえる。この情報で、装置は、装置が置かれている向きにかかわらず、直立した画像をつねに表示するよう構成され得る。
イ．「【００７３】
  図１６は、本発明のある実施形態によるハンドヘルド電子装置１５０の透視図である。この実施形態において、ハンドヘルド電子装置１５０は、完全なタッチセンシティブハウジング１５２、およびディスプレイ１５４全体をカバーするタッチスクリーン１５６を持つディスプレイ１５４を含む。したがってこの装置１５０は、完全にタッチセンシティブである。すなわち実質的に装置１５０の表面上の全ての位置が、表面接触を検出することができ、装置１５０は、全ての指および手のひらが装置１５０に触れている場所および時、およびどのくらいの圧力がそれぞれの点において存在するかを知る。同じ考えおよび使用法は、そのハウジングが接触に感応性を持つ相当部分を有する任意の装置に適用されえる。
【００７４】
  
タッチセンシティブハウジング１５２は、第１センサ構成１５８を含み、タッチスクリーン１５６は第２センサ構成１６０を含む。
両方のセンサ構成１５８および１６０は、例えば手がハウジング１５２を握るときのように、指または手のひらのような複数の物体の存在を検出するよう構成される。
【００７５】
  示されるように、
それぞれのセンサ構成１５８および１６０は、それぞれの要素内に位置するいくつかの独立した空間的に別個の検出点群１６２（または領域群）に分割されている。
【００７６】・・・（中略）・・・
【００７７】・・・（中略）・・・
【００７８】・・・（中略）・・・
【００７９】
  
検出点１６２において発生された信号は、ユーザがどのように装置を保持しているかを決定するために用いることができる。
装置１５０に接触する手のそれぞれの部分は、接触面領域を作る。
この信号は、一緒にまとめられて、ユーザがどのように装置１５０を保持しているかを表すハンド信号を形成し得る。要するにハンド信号は、装置１５０に接触している手のピクセル化された画像である。
ウ「【００８２】
　絶対マッピングにおいて、タッチ表面は、選択されるときに、そのボタン領域に関連付けられた特定のボタン機能を実現する、装置の領域群を表す１つ以上のボタン領域に分割される。第１および第２ハンド信号間で最も大きい変化を持つ接触面領域を有するボタン領域が、典型的には実現される機能である。ユーザは、使用前にボタン領域の構成を設定することによって装置をカスタマイズすることができる。例えば、装置は、１つのボタンの装置、２つのボタンの装置、３つのボタンの装置などのように構成され得る。ボタン領域の位置およびサイズもカスタマイズされ得る。例えば、装置は、装置の前部または背部だけに、または装置の側部だけにボタン領域を持つよう構成することができる。このカスタマイズはユーザおよび／または装置によって実行され得る。
【００８３】
　他の実施形態において、ベースラインハンド信号および現在のハンド信号の間の類似性は、制御機能を実現しようとするユーザの希望（例えばジェスチャ）を表しえる。例えば、もしベースラインハンド信号が第１ボタン機能に対応し、現在のハンド信号がベースラインハンド信号に類似するなら、装置は、第１ボタン機能を実施することができる。ユーザは、使用前にベースラインハンド信号を設定することによって装置をカスタマイズし得る（例えば較正）。
【００８４】
　他の実施形態において、ベースラインハンド信号および現在のハンド信号の間の類似性は、ユーザのタイプ（例えばユーザの利き手またはユーザのアイデンティティ）も表し得る。例えば、もしベースラインハンド信号が左利きユーザに対応し、現在のハンド信号がベースラインハンド信号に類似するなら、装置はユーザが左利きであると知る。ユーザは、使用前にベースラインハンド信号を設定することによって装置をカスタマイズし得る（例えば較正）。
【００８５】・・・（中略）・・・
【００８６】
  図１９は、
本発明の一実施形態による動作手順２２０である。手順２２０は一般にブロック２２２において始まり、ここで装置はスタンバイ状態である。
プロセスフローはブロック２２４に進み、ここでユーザが装置を触っているかについての判断がなされる。
もしユーザが装置を触っていないと判断されるなら、プロセスフローはブロック２２２に戻り、装置をスタンバイ状態に維持する。もしユーザが装置を触っていると判断されるなら、プロセスフローはブロック２２６に進み、ここでユーザが判断される。
【００８７】
  ある実施形態において、ブロック２２６は、ユーザの利き手の判断を含む。他の実施形態において、ブロック２２６は、実際のユーザ（例えばBobまたはCarol）の判断を含む。この判断は、自動的に実行されてもよいし、またはそれは選択的に、すなわちユーザによって開始されてもよい。いったんユーザが決定されると、プロセスフローは、ブロック２２８に進み、ここで装置はユーザに基づいて構成される。ある実施形態において、装置のボタン領域は、ユーザの利き手に基づいて構成される。他の実施形態において、ボタン領域は、実際のユーザ（例えばBobまたはCarol）に基づいて構成される。
【００８８】
　ブロック２２８に続きプロセスフローは、ブロック２３２に進み、ここで
タッチイベントがモニタされる。
タッチイベントに基づいて信号が発生される。
装置においてアクションを実行するのに用いられえる。
エ「【００９０】
　図２１は、
本発明の一実施形態による実際のユーザの決定方法２６０である。
この方法は図１９のブロック２２６に含まれ得る。この方法は、一般に、較正ステップ２６２および使用中ステップ２６４を含む複数のステップによって実施される。
ここで各ユーザについてのベースラインハンド信号が生成される。
【００９１】
　
使用中ステップ２６４は一般にブロック２７２において始まり、ここで現在のハンド信号が発生される。ブロック２７２に続いてプロセスフローはブロック２７４に進み、ここで現在のハンド信号がユーザプロファイルデータベースに記憶されたベースラインハンド信号と比較される。ブロック２７４に続いてプロセスフローはブロック２７６に進み、ここで現在のハンド信号に最も類似するベースラインハンド信号が選択される。もし現在の信号に類似する信号が存在しないなら、ユーザは較正ステップ２６２を経るように促すようにしてもよい。ブロック２７６に続いてプロセスフローはブロック２６８に進み、ここで装置は、選択されたベースラインハンド信号に関連付けられたユーザ設定に従って構成される。
（１）摘記事項アの【００４４】及び【００５１】の記載によれば、「ハンドヘルド電子装置」は、「ハウジング」及び「ディスプレイ」を有し、同【００４９】の記載及び図１１によれば、「タッチセンシティブ表面」が、「ハウジングの背部表面上」を含む「表面上に配置され」ているといえる。
（２）摘記事項アの【００４６】の「
ハンドヘルド電子装置１００は、ディスプレイ１０４の前に配置された透明な入力パネルであるタッチスクリーン１０６を含み得る。
（３）摘記事項アの【００４９】の「
タッチセンシティブ表面１０８は、ハウジング１０２の任意の表面、ハウジング１０２の任意の側、ハウジング１０２の任意の側の任意の部分、またはハウジング１０４の表面上の専用の位置の上に配置され得る。例として、タッチ領域は、ハウジング１０２の側部または背部表面上に配置されてもよいし
タッチセンシティブ表面は、同時に複数の接触点（または接触に近い点）を検出し、複数のタッチをハンドヘルド電子装置のコントローラにレポートする能力を有するマルチタッチセンシングデバイスである。すなわち、タッチセンシティブ表面は、同時に複数のタッチ入力を検出できる。
（４）摘記事項アの【００５６】の「
ハンドヘルド電子装置は、手の画像を認識し、その手の画像に基づいてハンドヘルド電子装置の種々の局面を制御するよう設計されてもよい。それぞれの手の画像は、特定の時刻の瞬間においてタッチスクリーンとともにタッチセンシティブ表面に接触している指または手の他の部分のプロファイルを表し、すなわち手の画像は、どのように装置が持たれているかを記述する。この手の画像（または信号）は、ある種の機能を開始するために、またはどのユーザがそのハンドヘルド電子装置を使用しているかについての決定を行うために用いられ得る。
ユーザのアイデンティティ（例えばBobまたはCarol）を決定するために、
手の信号を用いる
ハンドヘルド電子装置は、それに関連付けられたアクションを持つ、手のプロファイルのリストを含み得る。ハンドプロファイルは一般に、その装置がどのように持たれているかを記述し、アクションは、ハンドプロファイルに基づいて実行すべきアクションのタイプを記述する。
（５）摘記事項アの【００５１】の記載によれば、ハンドヘルド電子装置は「コントローラ」を備えているといえる。
（６）摘記事項アの【００５６】の「
ハンドヘルド電子装置は、手の画像を認識し、その手の画像に基づいてハンドヘルド電子装置の種々の局面を制御するよう設計されてもよい。それぞれの手の画像は、特定の時刻の瞬間においてタッチスクリーンとともにタッチセンシティブ表面に接触している指または手の他の部分のプロファイルを表し、すなわち手の画像は、どのように装置が持たれているかを記述する。この手の画像（または信号）は、ある種の機能を開始するために、またはどのユーザがそのハンドヘルド電子装置を使用しているかについての決定を行うために用いられ得る。
ユーザのアイデンティティ（例えばBobまたはCarol）を決定するために、
手の信号を用いる
ハンドヘルド電子装置は、それに関連付けられたアクションを持つ、手のプロファイルのリストを含み得る。ハンドプロファイルは一般に、その装置がどのように持たれているかを記述し、アクションは、ハンドプロファイルに基づいて実行すべきアクションのタイプを記述する。
（７）摘記事項ウの【００８３】の「ベースラインハンド信号および現在のハンド信号の間の類似性は、制御機能を実現しようとするユーザの希望（例えばジェスチャ）を表しえる。」の記載より、「ベースラインハンド信号および現在のハンド信号の間の類似性は、制御機能を実現しようとするユーザの希望を表し」ているといえる。
（８）摘記事項ウの【００８４】の「ベースラインハンド信号および現在のハンド信号の間の類似性は、ユーザのタイプ（例えばユーザの利き手またはユーザのアイデンティティ）も表し得る。」の記載より、「ベースラインハンド信号および現在のハンド信号の間の類似性は、ユーザのタイプも表し」ているといえる。
（９）摘記事項ウの【００８６】〜【００８８】の「
本発明の一実施形態による動作手順２２０である。手順２２０は一般にブロック２２２において始まり、ここで装置はスタンバイ状態である。
プロセスフローはブロック２２４に進み、ここでユーザが装置を触っているかについての判断がなされる。」と、「もしユーザが装置を触っていないと判断されるなら、プロセスフローはブロック２２２に戻り、装置をスタンバイ状態に維持する。もしユーザが装置を触っていると判断されるなら、プロセスフローはブロック２２６に進み、ここでユーザが判断される。
タッチイベントに基づいて信号が発生される。信号は、装置においてアクションを実行するのに用いられえる。
ここで各ユーザについてのベースラインハンド信号が生成される。
（１０）摘記事項エの【００９１】の「
使用中ステップ２６４は一般にブロック２７２において始まり、ここで現在のハンド信号が発生される。ブロック２７２に続いてプロセスフローはブロック２７４に進み、ここで現在のハンド信号がユーザプロファイルデータベースに記憶されたベースラインハンド信号と比較される。ブロック２７４に続いてプロセスフローはブロック２７６に進み、ここで現在のハンド信号に最も類似するベースラインハンド信号が選択される。もし現在の信号に類似する信号が存在しないなら、ユーザは較正ステップ２６２を経るように促すようにしてもよい。ブロック２７６に続いてプロセスフローはブロック２６８に進み、ここで装置は、選択されたベースラインハンド信号に関連付けられたユーザ設定に従って構成される。
（１１）摘記事項アの【００５７】の「加えて、
手の画像は、装置が例えば０、９０、１８０および２７０度において持たれているときのような装置の向きを決定するために用いられえる。この情報で、装置は、装置が置かれている向きにかかわらず、直立した画像をつねに表示するよう構成され得る。
　摘記事項の記載及び図面ならびにこの分野における技術常識を考慮すると、引用文献１には次の発明（以下、「引用発明」という。）が記載されていると認められる。
（引用発明）
「ハウジングと、
　ディスプレイと、
　ディスプレイの前に配置されたタッチスクリーンと、
　ハウジングの背部表面上を含む表面上に配置され、同時に複数の接触点を検出し、複数のタッチをハンドヘルド電子装置のコントローラにレポートする能力を有するタッチセンシティブ表面と、
　その装置がどのように持たれているかを記述した手のプロファイルと、それに関連付けられ、ハンドプロファイルに基づいて実行すべきアクションのタイプを記述したアクションを持つ手のプロファイルリストと、
　コントローラとを備え、
　特定の時刻の瞬間においてタッチスクリーンとともにタッチセンシティブ表面に接触している指または手の他の部分のプロファイルを表す手の画像を認識し、その手の画像に基づいてハンドヘルド電子装置の種々の局面を制御するよう設計され、手の画像（または信号）は、ある種の機能を開始するために、またはどのユーザがそのハンドヘルド電子装置を使用しているかについての決定を行うために用いられ、
　ベースラインハンド信号および現在のハンド信号の間の類似性は、制御機能を実現しようとするユーザの希望を表し、
　ベースラインハンド信号および現在のハンド信号の間の類似性は、ユーザのタイプも表し、
　動作手順は、ユーザが装置を触っているかについての判断がなされ、ユーザが装置を触っていると判断されるなら、ユーザが判断され、ユーザが決定されると、装置はユーザに基づいて構成され、タッチイベントがモニタされ、タッチイベントに基づいて信号が発生され、装置においてアクションを実行するのに用いられ、
　実際のユーザの決定方法は、ここで各ユーザについてのベースラインハンド信号が生成され、現在のハンド信号がユーザプロファイルデータベースに記憶されたベースラインハンド信号と比較され、最も類似するベースラインハンド信号が選択され、選択されたベースラインハンド信号に関連づけられたユーザ設定に従って構成され、
　加えて、手の画像は、装置が例えば０、９０、１８０および２７０度において持たれているときのような装置の向きを決定するために用いられ、装置が置かれている向きにかかわらず、直立した画像をつねに表示する、ハンドヘルド電子装置。」
２．引用文献２について
　原査定の拒絶の理由に引用された特開２００７−１４１０２９号公報（以下、「引用文献２」という。）（【００６１】〜【００６３】）には、「裏面タッチ式入力部に対する画像入力（指紋パターンの検出）について、操作者の手の指が触れている位置が変化した場合に処理を行い、変化していなかった場合には、指の入力が一旦途切れたか否かの判断をさらに行う。」という技術的事項が記載されていると認められる。
３．引用文献３について
　原査定の拒絶の理由に引用された特開２００９−０７７２２１号公報（以下、「引用文献３」という。）（【００１４】、図４）、「ユーザが携帯電話機を手で保持した際に、ユーザの指の位置を示す保持パターンを認証データとして、予め登録しておくことで、ユーザ認証を行う。」という技術的事項が記載されていると認められる。
４．引用文献４について
　原査定の拒絶の理由に引用された特開２０１１−１１８４６６号公報（以下、「引用文献４」という。）（【０１５６】〜【０１６３】）には、「格納した比較用一致パターンとの一致画素数によりマッチングの度合いを示す合致度を算出する。」という技術的事項が記載されていると認められる。
第５　対比・判断
１．本願発明１について
（１）対比
　本願発明１と引用発明とを対比すると、次のことがいえる。
（ア）引用発明の「ハウジング」は、本願発明１の「筐体」に相当する。
（イ）引用発明の「タッチセンシティブ表面」は、「ハウジングの背部表面上」を含む表面上に配置されている。
　さらに、引用発明の「タッチセンシティブ表面」は、「複数のタッチをハンドヘルド電子装置のコントローラにレポートする」能力を有しているから、「複数のタッチ」を検出することは明らかである。
　ここで、タッチスクリーンとともに「タッチセンシティブ表面」に接触している指または手の他の部分のプロファイルは「その装置がどのように持たれているか」を記述しているから、「複数のタッチ」とは、「ユーザが保持した際の接触」である。
　つまり、引用発明の「タッチセンシティブ表面」は、「ユーザが保持した際の接触位置」を検出しているといえる。
　上記によれば、引用発明の「タッチセンシティブ表面」は「ハウジングの背部表面上」に設けられ、「ユーザが保持した際の接触位置を検出」しているから、本願発明１の「筐体の背面に設けられ、ユーザが保持した際の接触位置を検出するタッチパッドセンサ」に相当する。
（ウ）引用発明は、「手の画像」は「装置の向きを決定するために用いられ」て、「直立した画像をつねに表示」するから、「直立した画像をつねに表示」するための信号が存在することは自明であって、該信号を「表示切替制御信号」と呼ぶことは、任意である。
　「直立した画像」は、ディスプレイに表示されることが明らかであって、引用発明の「ディスプレイ」は、本願発明１の「表示部」に相当し、「直立した画像をつねに表示」するためには、「表示する情報の向きを制御」する必要があることも自明である。
　つまり、引用発明は、「表示切替制御信号を用いて、表示部の表示画面に表示する情報の向きを制御し」ているといえる。
（エ）引用発明は、「その装置がどのように持たれているかを記述した手のプロファイルのリスト」を有しているから、「保持パターン」を予め記憶しているといえ、保持パターンを予め記憶するためには、該「保持パターン」を取得し、「保持パターン登録手段」を備えていることは自明である。
　ここで、「その装置がどのように持たれているかを記述した手のプロファイルのリスト」を有するとは、「その装置がどのように持たれているかを記述し」ている「手のプロファイル」を「リスト」として有することである。
　そして、「手の画像」が「特定の時刻の瞬間においてタッチスクリーンとともにタッチセンシティブ表面に接触している指または手の他の部分のプロファイル」を示している、ことを考慮すれば、「手のプロファイル」とは「手の画像」、すなわち「保持パターン」である。
　また、「ベースラインハンド信号と現在のハンド信号の類似性」は、「制御機能を実現しようとするユーザの希望」すなわち「アクション」、または「ユーザ」を決定するから、「手の画像」は「アクション」または「ユーザ」に対応した画像であって、「手のプロファイルのリスト」には、「手の画像」と、手の画像に対応した「アクション」または「ユーザ」が記憶されているといえる。
　そして、動作方法２００は、ユーザを決定し、ユーザに基づいて構成された後に、タッチイベントに基づいてアクションが決定されているから、「アクション」は「ユーザ毎」に決定されている。ここで、「ベースラインハンド信号および現在のハンド信号の間の類似性」が「制御機能を実現しようとするユーザの希望」が「アクション」であるから、「手のプロファイルのリスト」は、「ユーザ毎」の「アクション」であることが明らかである。
　上記によれば、引用発明の「手のプロファイルのリスト」は、「保持したときの前記タッチパッドセンサの出力を、所定の保持パターンとして取得」しており、「ユーザ毎に、複数の前記保持パターンと、各保持パターンに対応する制御に関する情報とを対応づけて」いるといえる。
（オ）「手の画像」は、「ある種の機能を開始するため」または「どのユーザがそのハンドヘルド電子装置を使用しているかについての決定を行うため」に用いられるのに加えて「装置が例えば０、９０、１８０および２７０度において持たれているときのような装置の向きを決定するために用いられ」ている。
以上より、
ａ．本願発明の「筐体の背面に設けられ、ユーザが保持した際の接触位置を検出するタッチパッドセンサ」と、引用発明の「ハウジングと、ディスプレイと、ディスプレイの前に配置されたタッチスクリーンと、ハウジングの背部表面上を含む表面上に配置され、同時に複数の接触点を検出し、複数のタッチをハンドヘルド電子装置のコントローラにレポートする能力を有するタッチセンシティブ表面」とは、以下の相違点（相違点１）を除いて、「筐体の背面に設けられ、ユーザが保持した際の接触位置を検出するタッチパッドセンサ」で共通する。
ｂ．本願発明の「ユーザ毎に、複数の所定の保持状態で保持したときの前記タッチパッドセンサの出力を、所定の保持パターンとして取得し、ユーザ毎に、複数の前記所定の保持パターンと、各保持パターンに対応する表示切替制御信号とを対応付けて、予め登録する保持パターン登録手段」と、引用発明の「その装置がどのように持たれているかを記述した手のプロファイルと、それに関連付けられ、ハンドプロファイルに基づいて実行すべきアクションのタイプを記述したアクションを持つ手のプロファイルリスト」とは、以下の相違点（相違点２）を除いて、「ユーザ毎に保持したときの所定のセンサの出力を、所定の保持パターンとして取得し、ユーザ毎に、複数の前記保持パターンと、各保持パターンに対応する制御に関する情報とを対応付けて、予め登録する保持パターン登録手段」で共通する。
ｃ．本願発明の「自携帯端末装置を使用しているユーザに対応し、前記保持パターン登録手段が登録した前記複数の所定の保持パターンの内で、最も類似している保持パターンを判定して出力する保持パターン判定手段」と、引用発明の「コントローラとを備え、特定の時刻の瞬間においてタッチスクリーンとともにタッチセンシティブ表面に接触している指または手の他の部分のプロファイルを表す手の画像を認識し、その手の画像に基づいてハンドヘルド電子装置の種々の局面を制御するよう設計され、手の画像（または信号）は、ある種の機能を開始するために、またはどのユーザがそのハンドヘルド電子装置を使用しているかについての決定を行うために用いられ、ベースラインハンド信号および現在のハンド信号の間の類似性は、制御機能を実現しようとするユーザの希望を表し、ベースラインハンド信号および現在のハンド信号の間の類似性は、ユーザのタイプも表し、動作手順は、ユーザが装置を触っているかについての判断がなされ、ユーザが装置を触っていると判断されるなら、ユーザが判断され、ユーザが決定されると、装置はユーザに基づいて構成され、タッチイベントがモニタされ、タッチイベントに基づいて信号が発生され、装置においてアクションを実行するのに用いられ、実際のユーザの決定方法は、ここで各ユーザについてのベースラインハンド信号が生成され、現在のハンド信号がユーザプロファイルデータベースに記憶されたベースラインハンド信号と比較され、最も類似するベースラインハンド信号が選択され、選択されたベースラインハンド信号に関連づけられたユーザ設定に従って構成され、」とは、「前記所定のセンサが検出したセンサ検出データを用いて、自携帯端末装置を使用しているユーザに対応し、前記保持パターン登録手段が登録した前記複数の所定の保持パターンの内で、最も類似している保持パターンを判定して出力する保持パターン判定手段とを備え、」で共通する。
ｄ．本願発明の「前記保持パターン判定手段が出力した保持パターンに対応付けられた表示切替制御信号を用いて、表示部の表示画面に表示する情報の向きを制御し、」と、引用発明の「加えて、手の画像は、装置が例えば０、９０、１８０および２７０度において持たれているときのような装置の向きを決定するために用いられ、装置が置かれている向きにかかわらず、直立した画像をつねに表示する、」とは、「前記所定のセンサが検出したセンサ検出データを用いて、表示部の表示画面に表示する情報の向きを制御する」で共通する。
　したがって、本願発明１と引用発明とは、次の点で一致および相違する。
（一致点）
「筐体の背面に設けられ、ユーザが保持した際の接触位置を検出するタッチパッドセンサと、
　ユーザ毎に保持したときの所定のセンサの出力を、所定の保持パターンとして取得し、ユーザ毎に、複数の前記保持パターンと、各保持パターンに対応する制御に関する情報とを対応付けて、予め登録する保持パターン登録手段と、
　前記所定のセンサが検出したセンサ検出データを用いて、自携帯端末装置を使用しているユーザに対応し、前記保持パターン登録手段が登録した前記複数の所定の保持パターンの内で、最も類似している保持パターンを判定して出力する保持パターン判定手段とを備え、
　前記所定のセンサが検出したセンサ検出データを用いて、表示部の表示画面に表示する情報の向きを制御する
　ことを特徴とする携帯端末装置。」
（相違点１）
　「所定の保持パターンとして取得」するセンサの出力として、本願発明１は「タッチパッドセンサ」であるのに対し、引用発明は、「タッチスクリーンとともにタッチセンシティブ表面」である点。
（相違点２）
　「保持パターン登録手段」が、本願発明１ではユーザ毎に、「複数の所定の保持状態で保持したとき」のセンサの出力を、「ユーザ毎に、複数の前記所定の保持パターンと、各保持パターンに対応する表示切替制御信号とを対応付けて」登録するのに対し、引用発明では、ユーザ毎の保持が、「複数の所定の保持状態」で保持したものではなく、ユーザ毎に、複数の所定の保持パターンに対応する情報が「各保持パターンに対応する表示切替制御信号」ではない点。
　そして、該「保持パターン登録手段」に登録されている情報の違いにより、「表示部の表示画面に表示する情報の向きを制御」するにあたり、本願発明１では、「保持パターン判定手段が出力した保持パターンに対応付けられた表示切替制御信号」を用いているのに対し、引用発明では保持パターン判定手段の出力を用いることは記載されていない点。
（相違点３）
　「保持パターン判定手段」において、本願発明１では、「前記所定のセンサが検出したセンサ検出データ」が「変化したか否かを判定」し、類似している保持パターンを判定するのは「センサ検出データが変化した場合」であって、「センサ検出データが変化していない場合」には「前記表示部の表示画面に表示する情報の向きを維持する」のに対し、引用発明では、「前記所定のセンサが検出したセンサ検出データ」が「変化したか否かを判定」しておらず、類似している保持パターンの判定は、「センサ検出データが変化したかどうか」に関係していると記載していない点。
（２）相違点についての検討
　事案に鑑み、（相違点２）について検討する。
　本願発明は、保持パターン登録手段に「複数の所定の保持状態で保持したとき」の「各保持パターンに対応する表示切替制御信号」を予め登録しておき、「保持パターン判定手段」の出力に対応した「切替制御信号」を用いて「表示部の表示画面に表示する情報の向きを制御」するという具体的な処理内容が記載されている。
　一方、引用発明は、「所定のセンサが検出したセンサ検出データを用いて、表示部の表示画面に表示する情報の向きを制御する」にあたって、どのような処理を行っているのかは明らかではなく、該処理にあたって、「保持パターン登録手段」に「複数の所定の保持状態で保持したとき」の「各保持パターンに対応する表示切替制御信号」を予め登録し、「保持パターン判定手段」の出力に対応した「切替制御信号」を用いて「表示部の表示画面に表示する情報の向きを制御」することは、自明な処理とはいえず、引用文献２−４に記載された技術的事項から容易に想到し得たということもできない。
　よって、（相違点２）について、引用発明及び引用文献２−４に記載された技術的事項に基づいて容易に発明することができたということはできない。
　したがって、（相違点１）、（相違点３）について判断するまでもなく、本願発明１は、引用発明及び引用文献２−４に記載された技術的事項に基づいて容易に発明をすることができたとすることはできない。
２．本願発明２−５について
　本願発明２−５も、（相違点１）として検討した、本願発明１の発明特定事項を備えるものであるから、本願発明１と同じ理由により、当業者であっても、引用発明及び引用文献２−４に記載された技術的事項に基づいて容易に発明できたものとはいえない。
３．本願発明６について
　本願発明６は、本願発明１に対応する方法の発明であり、（相違点１）として検討した、本願発明１の発明特定事項と同様の構成を備えるものであるから、本願発明１と同様の理由により、当業者であっても、引用発明及び引用文献２−４に記載された技術的事項に基づいて容易に発明できたものとはいえない。
第６　むすび
　以上のとおり、本願発明１−６は、当業者が引用発明及び引用文献２−４に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。